(57)【要約】【課題】火災感知器に接続される回線が分岐された場合であっても断線を検出できる制御装置、終端器、断線検出方法及び火災報知システムを提供する。【解決手段】本発明の一実施形態に係る地区回路１１は、回線Ｗを介して、回線Ｗに接続された終端器３の識別情報を示す第１信号を受信する通信部１１２と、記憶部１１３に記憶された識別情報と、第１信号が示す識別情報とを比較することによって、回線Ｗの断線及び終端器３の誤接続の少なくとも一方を検出する制御部１１１と、を有する。【選択図】図２
2019133376.tif 000002
【特許請求の範囲】
【請求項１】
火災感知器に接続される回線の状況を監視する制御装置であって、
前記回線を介して、前記回線に接続された終端器の識別情報を示す第１信号を受信する通信部と、
記憶部に記憶された識別情報と、前記第１信号が示す識別情報とを比較することによって、前記回線の断線及び前記終端器の誤接続の少なくとも一方を検出する制御部と、
を有する制御装置。
【請求項２】
前記通信部は、前記回線を介して、前記記憶部に記憶された識別情報を示す第２信号を前記終端器へ送信した後に、前記終端器から前記第１信号を受信する、請求項１に記載の制御装置。
【請求項３】
前記制御部は、前記第２信号の送信から所定時間以内に、前記記憶部に記憶された識別情報と一致する識別情報を示す前記第１信号を前記通信部が受信できない場合に、前記回線の断線及び前記終端器の誤接続の少なくとも一方を検出する、請求項２に記載の制御装置。
【請求項４】
前記制御部は、前記記憶部に記憶された複数の識別情報のそれぞれと、前記第１信号が示す識別情報とを比較することによって、前記回線の断線及び前記終端器の誤接続の少なくとも一方を検出する、請求項１から３のいずれか一項に記載の制御装置。
【請求項５】
前記通信部は、火災感知器に電力を供給する前記回線を介して前記第１信号を受信する、請求項１から４のいずれか一項に記載の制御装置。
【請求項６】
前記通信部は、前記終端器と複数の前記火災感知器とに接続されている前記回線を介して前記第１信号を受信する、請求項５に記載の制御装置。
【請求項７】
火災感知器に接続される回線の終端部に接続される終端器であって、
前記回線を介して、前記回線に接続された制御装置から識別情報を示す第２信号を受信する通信部と、
前記通信部が前記第２信号を受信したことを条件として、前記終端器自身の識別情報を示す第１信号を、前記通信部から前記回線を介して前記制御装置へ送信させる制御部と、
を有する終端器。
【請求項８】
前記制御部は、前記第２信号が示す識別情報が、前記終端器自身の識別情報と一致する場合に、前記終端器自身の識別情報を示す第１信号を、前記通信部から前記回線へ送信させる、請求項７に記載の終端器。
【請求項９】
火災感知器に接続される回線の状況を監視する制御装置のプロセッサが、
前記回線を介して、前記回線に接続された終端器の識別情報を示す第１信号を受信するステップと、
記憶部に記憶された識別情報と、前記第１信号が示す識別情報とを比較することによって、前記回線の断線及び前記終端器の誤接続の少なくとも一方を検出するステップと、
を実行する、断線検出方法。
【請求項１０】
火災感知器に接続される回線の状況を監視する制御装置と、前記回線の終端部に接続される終端器と、を備え、
前記制御装置は、
前記回線を介して、前記終端器の識別情報を示す第１信号を受信する通信部と、
記憶部に記憶された識別情報と、前記第１信号が示す識別情報とを比較することによって、前記回線の断線及び前記終端器の誤接続の少なくとも一方を検出する制御部と、
を有し、
前記終端器は、前記第１信号を、前記回線を介して前記制御装置へ送信する通信部を有する、火災報知システム。
【発明の詳細な説明】
【技術分野】
【０００１】
本発明は、火災感知器に接続される回線の状況を監視する制御装置、終端器、断線検出方法及び火災報知システムに関する。
【背景技術】
【０００２】
火災報知システムは、監視対象の地区に設置されている複数の火災感知器と、火災感知器が感知した火災を報知する制御装置（例えば受信機）とを含む。制御装置は、電線を含む回線で各火災感知器と接続される。制御装置は、回線に断線が発生すると火災感知器を用いて火災を感知できなくなるため、回線を監視して断線を検出することが求められている。
【０００３】
従来、回線の終端部に終端器を設け、終端器を介して観測される電流又は電圧を監視することによって断線を検出する技術が知られている。また、特許文献１には、受信機から終端器へ呼出信号を送信し、終端器からの受信機へ戻る応答信号に基づいて断線を検出する技術が開示されている。
【先行技術文献】
【特許文献】
【０００４】
【特許文献１】特開２００７−８００３２号公報
【発明の概要】
【発明が解決しようとする課題】
【０００５】
建物に配設する電線の量を削減するために、回線を制御装置と終端器との間で分岐したいという需要がある。分岐された複数の回線にそれぞれ終端器を設けると、制御装置に複数の終端器が接続されている状態になる。しかしながら、終端器を介した電流又は電圧を監視する技術を用いた火災報知設備は、回線に１つの終端器が接続されていることを前提とした設計値に基づいて断線を検出するため、回線に複数の終端器が接続されていると断線を正しく検出することができない。また、特許文献１に記載の技術を用いた火災報知設備は、複数の終端器が送信する応答信号を区別しないため、分岐された複数の回線の一部に発生した断線を検出することができない。
【０００６】
本発明はこれらの点に鑑みてなされたものであり、火災感知器に接続される回線が分岐された場合であっても断線を検出できる制御装置、終端器、断線検出方法及び火災報知システムを提供することを目的とする。
【課題を解決するための手段】
【０００７】
本発明の第１の態様の、火災感知器に接続される回線の状況を監視する制御装置は、前記回線を介して、前記回線に接続された終端器の識別情報を示す第１信号を受信する通信部と、記憶部に記憶された識別情報と、前記第１信号が示す識別情報とを比較することによって、前記回線の断線及び前記終端器の誤接続の少なくとも一方を検出する制御部と、を有する。
【０００８】
前記通信部は、前記回線を介して、前記記憶部に記憶された識別情報を示す第２信号を前記終端器へ送信した後に、前記終端器から前記第１信号を受信してもよい。
【０００９】
前記制御部は、前記第２信号の送信から所定時間以内に、前記記憶部に記憶された識別情報と一致する識別情報を示す前記第１信号を前記通信部が受信できない場合に、前記回線の断線及び前記終端器の誤接続の少なくとも一方を検出してもよい。
【００１０】
前記制御部は、前記記憶部に記憶された複数の識別情報のそれぞれと、前記第１信号が示す識別情報とを比較することによって、前記回線の断線及び前記終端器の誤接続の少なくとも一方を検出してもよい。
【００１１】
前記通信部は、火災感知器に電力を供給する前記回線を介して前記第１信号を受信してもよい。
【００１２】
前記通信部は、前記終端器と複数の前記火災感知器とに接続されている前記回線を介して前記第１信号を受信してもよい。
【００１３】
本発明の第２の態様の、火災感知器に接続される回線の終端部に接続される終端器は、前記回線を介して、前記回線に接続された制御装置から識別情報を示す第２信号を受信する通信部と、前記通信部が前記第２信号を受信したことを条件として、前記終端器自身の識別情報を示す第１信号を、前記通信部から前記回線を介して前記制御装置へ送信させる制御部と、を有する。
【００１４】
前記制御部は、前記第２信号が示す識別情報が、前記終端器自身の識別情報と一致する場合に、前記終端器自身の識別情報を示す第１信号を、前記通信部から前記回線へ送信させてもよい。
【００１５】
本発明の第３の態様の断線検出方法は、火災感知器に接続される回線の状況を監視する制御装置のプロセッサが、前記回線を介して、前記回線に接続された終端器の識別情報を示す第１信号を受信するステップと、記憶部に記憶された識別情報と、前記第１信号が示す識別情報とを比較することによって、前記回線の断線及び前記終端器の誤接続の少なくとも一方を検出するステップと、を実行する。
【００１６】
本発明の第４の態様の火災報知システムは、火災感知器に接続される回線の状況を監視する制御装置と、前記回線の終端部に接続される終端器と、を備え、前記制御装置は、前記回線を介して、前記終端器の識別情報を示す第１信号を受信する通信部と、記憶部に記憶された識別情報と、前記第１信号が示す識別情報とを比較することによって、前記回線の断線及び前記終端器の誤接続の少なくとも一方を検出する制御部と、を有し、前記終端器は、前記第１信号を、前記回線を介して前記制御装置へ送信する通信部を有する。
【発明の効果】
【００１７】
本発明によれば、火災感知器に接続される回線が分岐された場合であっても断線を検出できるという効果を奏する。
【図面の簡単な説明】
【００１８】
【図１】火災報知システムの模式図である。
【図２】地区回路及び終端器のブロック図である。
【図３】火災報知システムによる断線検出方法の模式図である。
【図４】応答要求信号及び応答信号の模式図である。
【図５】火災報知システムにおける例示的な配線の模式図である。
【図６】火災報知システムが行う断線検出方法のフローチャートを示す図である。
【図７】地区回路と終端器との間の通信シーケンスを示す図である。
【発明を実施するための形態】
【００１９】
［火災報知システムＳの概要］
図１は、本実施形態に係る火災報知システムＳの模式図である。火災報知システムＳは、火災受信機１と、火災感知器２と、終端器３とを含む。火災報知システムＳは、火災警報監視対象となる警戒区域ごとに、一以上の火災感知器２及び終端器３を有する。警戒区域は、例えば建物の階層、階層を分割した領域、建物内の部屋等に対応する。
【００２０】
火災感知器２は、それぞれ２本の回線Ｗ（電線）に接続されている、警戒区域内で火災が発生したことを検知するセンサである。火災感知器２は、火災を検知すると、自身の電気的特性（例えばインピーダンス）を変化させる、あるいは回線Ｗ上に信号を送信することによって、火災受信機１に火災を検知したことを通知する。
【００２１】
終端器３は、火災感知器２が接続されている回線Ｗの、火災受信機１とは反対側の終端部に設けられる終端装置であり、火災受信機１と協働して回線Ｗの断線を検出するための処理を行う。終端器３は、回線Ｗの最も終端側（すなわち火災受信機１から最も遠い位置）にある火災感知器２に内蔵されてもよい。
【００２２】
火災受信機１は、火災報知システムＳの各種の動作を司る装置であり、例えば火災感知器２が火災を感知した際に報知するための制御を行う。火災受信機１は、例えばＰ型火災受信機である。火災受信機１は、地区回路１１と、全体制御部１２と、操作部１３と、表示部１４とを有する。
【００２３】
地区回路１１は、火災を検知する各警戒区域に対応する制御装置である。地区回路１１は、対応する警戒区域内に設置された複数の火災感知器２のいずれかから火災を検知したことが通知されると、火災検知情報を全体制御部１２に通知する。
【００２４】
各地区回路１１は、２本の回線Ｗ（例えば表示線及び共通線）を介して、火災感知器２及び終端器３に接続される。各地区回路１１は、回線Ｗを介して、火災感知器２及び終端器３に電力を供給するとともに、終端器３との間で通信を行う。回線Ｗは、複数の火災感知器２に順に接続（いわゆる送り配線）され、地区回路１１とは反対側の終端部において終端器３に接続される。
【００２５】
火災報知システムＳは、地区回路１１と火災感知器２との間の回線Ｗ上に、中継器４を有してもよい。中継器４は、例えば地区回路１１と火災感知器２との間で信号を変換する装置である。地区回路１１は、中継器４を用いることによって、様々な種類の火災感知器２に対応できる。
【００２６】
全体制御部１２は、例えばＣＰＵ（Central Processing Unit）等のプロセッサであり、地区回路１１からの火災検知情報に応じて、火災を報知する。例えば全体制御部１２は、表示部１４上で火災が発生した警戒区域を表示する、あるいはスピーカから火災が発生した警戒区域を示す音声を出力することによって、火災を報知する。また、全体制御部１２は、後述の断線検出方法の結果に基づいて、表示部１４上で断線又は誤接続が発生している回線Ｗを示す情報を表示する。
【００２７】
操作部１３は、キーボード、ボタン、スイッチ等の操作部材を含む。表示部１４は、ディスプレイ、ランプ等の表示装置を含む。表示部１４としてユーザによる接触の位置を検出可能なタッチスクリーンを用いることによって、操作部１３と表示部１４とを一体に構成してもよい。
【００２８】
図２は、本実施形態に係る地区回路１１及び終端器３のブロック図である。図２において、回線Ｗの火災感知器２は省略されている。地区回路１１は、制御部１１１と、通信部１１２と、記憶部１１３とを有する。地区回路１１は、これ以外の部材を有してもよい。
【００２９】
通信部１１２は、回線Ｗを介して終端器３との間で通信するための通信インターフェースである。通信部１１２は、通信を実行するためのプロセッサ、コネクタ、電気回路等を含む。通信部１１２は、終端器３から受信した信号に所定の処理を行ってデータを取得し、取得したデータを制御部１１１に入力する。また、通信部１１２は、制御部１１１から入力されたデータに所定の処理を行って信号を生成し、生成した信号を終端器３に送信する。また、通信部１１２は、回線Ｗを介して火災感知器２及び終端器３へ電力を供給する。
【００３０】
記憶部１１３は、ＲＯＭ（Read Only Memory）、ＲＡＭ（Random Access Memory）、ハードディスクドライブ等を含む記憶媒体である。記憶部１１３は、制御部１１１が実行するプログラムを予め記憶している。また、記憶部１１３は、地区回路１１に接続されている１つ以上の終端器３それぞれの識別情報を記憶する。記憶部１１３は、地区回路１１の外部に設けられてもよい。この場合に火災受信機１に含まれる複数の地区回路１１は、火災受信機１が有する記憶部を、記憶部１１３として共有してもよい。
【００３１】
制御部１１１は、例えばＣＰＵ等のプロセッサであり、記憶部１１３に記憶されたプログラムを実行することにより、所定の機能を実行する。制御部１１１の機能については、図３〜図７を用いて後述する。
【００３２】
終端器３は、制御部３１と、通信部３２と、記憶部３３とを有する。終端器３は、これ以外の部材を有してもよい。通信部３２は、回線Ｗを介して地区回路１１との間で通信するための通信インターフェースである。通信部３２は、通信を実行するためのプロセッサ、コネクタ、電気回路等を含む。通信部３２は、地区回路１１から受信した信号に所定の処理を行ってデータを取得し、取得したデータを制御部３１に入力する。また、通信部３２は、制御部３１から入力されたデータに所定の処理を行って信号を生成し、生成した信号を地区回路１１に送信する。
【００３３】
記憶部３３は、ＲＯＭ、ＲＡＭ、ハードディスクドライブ等を含む記憶媒体である。記憶部３３は、制御部３１が実行するプログラムを予め記憶している。また、記憶部３３は、終端器３自身の識別情報を記憶する。
【００３４】
制御部３１は、例えばＣＰＵ等のプロセッサであり、記憶部３３に記憶されたプログラムを実行することにより、所定の機能を実行する。制御部３１の機能については、図３〜図７を用いて後述する。
【００３５】
地区回路１１は、少なくとも１つの終端器３に回線Ｗを介して接続される。地区回路１１に２つ以上の終端器３を接続する場合には、地区回路１１からの回線Ｗは分岐され、分岐された回線Ｗのそれぞれの終端部に終端器３が接続される。図２の例では、地区回路１１は、２つの終端器３に接続されているが、これに限定されず、回線Ｗを複数個所で分岐することによって３つ以上の終端器３に接続されてもよい。
【００３６】
本実施形態に係る地区回路１１及び終端器３は、図２に示す具体的な構成に限定されない。例えば地区回路１１及び終端器３は、それぞれ１つの装置に限られず、２つ以上の物理的に分離した装置が互いに接続されることにより構成されてもよい。
【００３７】
［断線検出方法の説明］
図３（ａ）、図３（ｂ）は、本実施形態に係る火災報知システムＳによる断線検出方法の模式図である。終端器３の記憶部３３には、予め終端器３自身に固有の識別情報（ＩＤ）が登録されている。終端器３の識別情報は、例えば終端器３の製造番号である。
【００３８】
地区回路１１に終端器３を接続する際に、ユーザは、火災受信機１の操作部１３を用いて、地区回路１１に関連付けて終端器３の識別情報を入力する。火災受信機１の全体制御部１２は、ユーザによる入力に基づいて、各地区回路１１の記憶部１１３に、その地区回路１１に接続されている少なくとも１つの終端器３の識別情報を記憶させる。
【００３９】
図３（ａ）のように１つの地区回路１１に１つの終端器３が接続されている場合には、記憶部１１３は、地区回路１１に関連付けて１つの識別情報を記憶する。図３（ｂ）のように１つの地区回路１１に複数の終端器３が接続されている場合には、記憶部１１３は地区回路１１に関連付けて複数の識別情報を記憶する。全体制御部１２は、火災受信機１の記憶部に、各地区回路１１に関連付けて終端器３の識別情報を記憶させてもよい。
【００４０】
地区回路１１において、制御部１１１は、所定の時間間隔で、あるいはユーザによる指示に従って、回線Ｗの状況を監視して断線検出を行う。断線検出を行う際に、制御部１１１は、記憶部１１３から自身に接続されている終端器３の識別情報を読み出し、読み出した識別情報を示す応答要求信号を生成する。そして制御部１１１は、生成した応答要求信号を、通信部１１２から回線Ｗへ送信する。
【００４１】
回線Ｗに接続されている終端器３において、制御部３１は、通信部３２を用いて、地区回路１１からの応答要求信号を受信する。制御部３１は、地区回路１１から応答要求信号を受信したことを条件として、記憶部３３から終端器３自身の識別情報を読み出し、受信した応答要求信号が示す識別情報と比較する。終端器３の識別情報と応答要求信号の識別情報とが一致する場合に、制御部３１は、終端器３の識別情報を示す応答信号を生成し、通信部３２から回線Ｗへ送信する。
【００４２】
終端器３の識別情報と応答要求信号の識別情報とが一致しない場合に、制御部３１は、応答信号を生成及び送信しない。このように終端器３は自身の識別情報を示す応答要求信号を受信したときのみ応答信号を送信するため、回線Ｗに複数の終端器３が接続されている場合であっても、異なる終端器３からの応答信号が衝突することを抑制することができる。
【００４３】
地区回路１１において、制御部１１１は、通信部１１２を用いて、終端器３からの応答信号を受信する。制御部１１１は、応答要求信号に用いた識別情報を、受信した応答信号が示す識別情報と比較する。応答要求信号の送信から所定時間以内に応答要求信号の識別情報と一致する識別情報を示す応答信号を受信した場合に、制御部１１１は、その識別情報に対応する終端器３が回線Ｗに接続されている（すなわち、回線Ｗが断線していないこと及び回線Ｗに正しい終端器３が接続されていること）と判定する。
【００４４】
応答要求信号の送信から所定時間以内に応答要求信号の識別情報と一致する識別情報を示す応答信号を受信できない場合に、制御部１１１は、その識別情報に対応する終端器３が回線Ｗに接続されていない（すなわち、回線Ｗが断線していること及び回線Ｗに誤った終端器３が接続されていることの少なくとも一方）と判定する。制御部１１１は、記憶部１１３に記憶されている識別情報に対応する終端器３それぞれについて、順に応答要求信号の送信及び応答信号の受信を繰り返す。そして制御部１１１は、回線Ｗが断線している又は誤った終端器３が接続されていることを検出した場合に、その旨を示す情報を、火災受信機１の表示部１４から出力する。
【００４５】
図３（ａ）の例では、１つの地区回路１１に１つの終端器３（ＩＤ：１）が接続されている。回線Ｗに断線が発生しておらず、かつ地区回路１１に正しい終端器３（すなわち記憶部１１３に記憶されている識別情報に対応する終端器３）が接続されている場合には、地区回路１１は応答要求信号と同じ識別情報を示す応答信号を受信する。回線Ｗに断線が発生し、又は地区回路１１に誤った終端器３（すなわち記憶部１１３に記憶されている識別情報に対応しない終端器３）が接続されている場合には、地区回路１１は応答要求信号と同じ識別情報を示す応答信号を受信できない。
【００４６】
図３（ｂ）の例では、１つの地区回路１１に２つの終端器３（ＩＤ：１及びＩＤ：２）が接続されている。地区回路１１は、２つの終端器３の識別情報を示す応答要求信号を順に送信する。例えば地区回路１１がＩＤ：２を示す応答要求信号を送信した際に、ＩＤ：１の終端器３は応答信号を送信せず、ＩＤ：２の終端器３のみが応答信号を送信する。そのため地区回路１１は、ＩＤ：１の終端器３から応答信号を受信せず、ＩＤ：２の終端器３から応答信号を受信する。回線Ｗに断線が発生し、又は地区回路１１に誤った終端器３が接続されている場合には、地区回路１１はいずれかの終端器３の識別情報を示す応答信号を受信できない。
【００４７】
このように地区回路１１と終端器３とは、終端器３の識別情報を示す信号を授受することによって、回線Ｗが分岐している場合であっても、回線Ｗにおける断線の発生を検出できるとともに、終端器３の誤接続を検出できる。
【００４８】
図３（ａ）、図３（ｂ）においては、終端器３は応答要求信号に応じて応答信号を送信するが、応答要求信号によらず応答信号を送信してもよい。この場合には、終端器３は、自身の識別情報を示す応答信号を、所定の時間間隔で回線Ｗを介して地区回路１１へ送信する。
【００４９】
図３（ａ）、図３（ｂ）においては、地区回路１１が終端器３と信号を授受することによって回線Ｗの断線を検出する制御装置として機能しているが、回線Ｗに接続される火災受信機１又は中継器４が制御装置として機能してもよい。
【００５０】
図４（ａ）、図４（ｂ）は、応答要求信号及び応答信号の模式図である。図４（ａ）、図４（ｂ）は、それぞれ回線Ｗに印加されている電圧の時間変化のグラフである。図４（ａ）は、パルス波を用いて応答要求信号及び応答信号を伝送する例を示す。地区回路１１の制御部１１１は、応答要求信号を送信する際に、応答要求信号を示すパルスになるように回線Ｗの電圧を制御する。また、終端器３の制御部３１は、応答信号を送信する際に、応答信号を示すパルスになるように回線Ｗの電圧を制御する。
【００５１】
パルスは、高電圧（例えば１０Ｖ）と低電圧（例えば０Ｖ）とが交互に出現する状態である。地区回路１１の制御部１１１及び終端器３の制御部３１は、例えばパルスの頻度や幅を所定の規則に従って制御することによって、応答要求信号及び応答信号とパルスとの間で情報を変換する。
【００５２】
図４（ｂ）は、正弦波を用いて応答要求信号及び応答信号を伝送する例を示す。地区回路１１の制御部１１１は、応答要求信号を送信する際に、応答要求信号を示す正弦波になるように回線Ｗの電圧を制御する。また、終端器３の制御部３１は、応答信号を送信する際に、応答信号を示す正弦波になるように回線Ｗの電圧を制御する。
【００５３】
正弦波は、電圧が正弦関数として記述される周期的な波形となる状態である。地区回路１１の制御部１１１及び終端器３の制御部３１は、例えば正弦波の周波数や振幅を所定の規則に従って制御することによって、応答要求信号及び応答信号と正弦波との間で情報を変換する。
【００５４】
火災感知器２には、火災を検知した場合に検知状態となり、その後に回線Ｗが所定の時間以上、所定の電圧（例えば５Ｖ）以下に設定されると検知状態を解除して復旧するものがある。そのため、地区回路１１及び終端器３は、応答要求信号及び応答信号を示すパルス又は正弦波において連続的に所定の電圧以下になる時間を、火災感知器２が検知状態を解除する所定の時間よりも短くする。これにより、応答要求信号及び応答信号によって意図せず火災感知器２の検知状態が解除されることを防ぐことができる。
【００５５】
地区回路１１及び終端器３は、図４（ａ）、図４（ｂ）に示した伝送方法に限定されず、回線Ｗを介して応答要求信号及び応答信号を伝送可能なその他方法を用いることができる。図４（ａ）、図４（ｂ）の例では、３０秒ごとに地区回路１１から応答要求信号が送信され、５０ミリ秒の応答要求信号及び応答信号が伝送されているが、信号の送信間隔及び長さは具体的な値に限定されない。
【００５６】
図５（ａ）、図５（ｂ）は、火災報知システムＳにおける例示的な配線の模式図である。図５（ａ）、図５（ｂ）において、視認性のために各地区回路１１に接続されている回線Ｗは１本の線で表されている。終端器３ａ、３ｂは、異なる部屋に設置されている。地区回路１１ａは終端器３ａに対応し、地区回路１１ｂは終端器３ｂに対応する。すなわち、地区回路１１ａの記憶部１１３は終端器３ａの識別情報を記憶し、地区回路１１ｂの記憶部１１３は終端器３ｂの識別情報を記憶している。
【００５７】
図５（ａ）の例では、回線Ｗを各部屋に接続する部分の誤接続によって、地区回路１１ａからの回線Ｗが終端器３ｂに接続されており、地区回路１１ｂからの回線Ｗが終端器３ａに接続されている。また、図５（ｂ）の例では、回線Ｗを各地区回路１１に接続する部分の誤接続によって、終端器３ａからの回線Ｗが地区回路１１ｂに接続されており、終端器３ｂからの回線Ｗが地区回路１１ａに接続されている。
【００５８】
図５（ａ）、図５（ｂ）において、地区回路１１ａ、１１ｂは、記憶部１１３に記憶された識別情報を示す応答信号を回線Ｗから受信できないため、回線Ｗに断線又は誤接続が発生していることを検出することができる。
【００５９】
［断線検出方法のフローチャート］
図６は、本実施形態に係る火災報知システムＳが行う断線検出方法のフローチャートを示す図である。まず地区回路１１において、制御部１１１は記憶部１１３から、地区回路１１に接続されている終端器３の数及び各終端器３の識別情報を取得する（Ｓ１１）。制御部１１１は、処理対象の番号ｉを１（初期値）に設定する（Ｓ１２）。
【００６０】
制御部１１１は、ステップＳ１１で識別情報を取得した終端器３のうち、ｉ番目の終端器３の識別情報を示す応答要求信号を回線Ｗに送信する（Ｓ１３）。このとき、制御部１１１は、終端器３からの応答信号を待つ時間を示す応答待ちタイマーを開始する（Ｓ１４）。
【００６１】
回線Ｗに接続されている各終端器３において、制御部３１は、地区回路１１から受信した応答要求信号が示す識別情報が、自身の識別情報に一致する場合に、その識別情報を示す応答信号を回線Ｗに送信する。
【００６２】
地区回路１１において、制御部１１１は、終端器３からの応答信号を受信する（Ｓ１５）。制御部１１１は、ステップＳ１５で受信した応答信号が示す識別情報を、ステップＳ１３で送信した応答要求信号が示す識別情報と比較する。応答要求信号が示す識別情報と応答信号が示す識別情報とが一致した場合に（Ｓ１６のＹＥＳ）、制御部１１１はステップＳ１８に進む。このとき、制御部１１１は、ｉ番目の終端器３について、回線Ｗに断線が発生しておらず、かつ正しい終端器３が接続されていると判定してもよい。
【００６３】
応答要求信号が示す識別情報と応答信号が示す識別情報とが一致しない場合（あるいはステップＳ１４のタイマーが所定時間を経過した場合）に（Ｓ１６のＮＯ）、制御部１１１は、ｉ番目の終端器３について、回線Ｗに断線が発生し、又は誤った終端器３が接続されていると判定する（Ｓ１７）。そして、制御部１１１はステップＳ１８に進む。
【００６４】
制御部１１１は、処理対象の番号ｉに１を加える（Ｓ１８）。番号ｉがステップＳ１１で取得した終端器３の数を超えていない場合に（Ｓ１９のＮＯ）、制御部１１１はステップＳ１３〜Ｓ１８を繰り返す。番号ｉがステップＳ１１で取得した終端器３の数を超えた場合に（Ｓ１９のＹＥＳ）、制御部１１１は処理を終了する。
【００６５】
［断線検出方法の通信シーケンスの一例］
図７は、地区回路１１と３つの終端器３との間の通信シーケンスを示す図である。３つの終端器３の識別情報は、例えばＩＤ：１、ＩＤ：２及びＩＤ：３である。地区回路１１の記憶部１１３には、識別情報としてＩＤ：１、ＩＤ：２及びＩＤ：３が予め記憶されている。図７においてそれぞれの応答要求信号及び応答信号に付記されている番号は、該応答要求信号及び応答信号が示す識別情報の番号である。図７の例では、地区回路１１とＩＤ：１及びＩＤ：２の終端器３との間の回線Ｗは正常であり、地区回路１１とＩＤ：３の終端器３との間の回線Ｗは断線しているものとする。
【００６６】
地区回路１１の制御部１１１は、記憶部１１３から３つの終端器３の識別情報を読み出す。まず制御部１１１は、識別情報としてＩＤ：１を示す応答要求信号を回線Ｗに送信する。応答要求信号は回線Ｗを介してＩＤ：１及びＩＤ：２の終端器３に到達する。そしてＩＤ：１の終端器３の制御部３１は、応答信号を回線Ｗに送信する。応答信号を受信した地区回路１１の制御部１１１は、ＩＤ：１の終端器３について、回線Ｗに断線が発生しておらず、かつ正しい終端器３が接続されていると判定する。
【００６７】
制御部１１１は、ＩＤ：２の終端器３についても同様に、応答要求信号及び応答信号を授受することによって、回線Ｗに断線が発生しておらず、かつ正しい終端器３が接続されていると判定する。
【００６８】
次に制御部１１１は、識別情報としてＩＤ：３を示す応答要求信号を回線Ｗに送信する。応答要求信号は回線Ｗを介してＩＤ：１及びＩＤ：２の終端器３に到達するが、断線が発生しているためＩＤ：３の終端器３に到達しない。そして制御部１１１は、ＩＤ：３の終端器３からの応答信号を受信できないため、地区回路１１とＩＤ：３の終端器３との間の回線Ｗに断線が発生している、又は誤った終端器３が接続されていると判定する。
【００６９】
［本実施形態の効果］
本実施形態に係る制御装置（すなわち地区回路１１、火災受信機１又は中継器４）及び終端器３は、回線Ｗを介して終端器３の識別情報を示す信号を授受することによって、回線Ｗの断線及び終端器３の誤接続を検出する。従来のように終端器を介した電流又は電圧を監視する技術を用いた制御装置は、回線が分岐されると電流又は電圧が設計値から変動するため、正しく断線を検出することができない。
【００７０】
それに対して、本実施形態に係る制御装置は、回線Ｗが分岐されて複数の終端器３が接続される場合であっても、複数の終端器３それぞれからの信号を区別できるため、正しく断線を検出できる。それに加えて、制御装置は、例えば回線Ｗの取り違え等によって想定と異なる終端器３が回線Ｗに接続された場合に、正しい識別情報を示す信号を受信できなくなるため、誤接続を検出できる。
【００７１】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【００７２】
制御装置（すなわち地区回路１１、火災受信機１又は中継器４）及び終端器３のプロセッサは、図６に示す断線検出方法に含まれる各ステップ（工程）の主体となる。すなわち、制御装置及び終端器３のプロセッサは、図６に示す断線検出方法を実行するためのプログラムを記憶部から読み出し、該プログラムを実行して制御装置及び終端器３の各部を制御することによって、図６に示す断線検出方法を実行する。図６に示す断線検出方法に含まれるステップは一部省略されてもよく、ステップ間の順番が変更されてもよく、複数のステップが並行して行われてもよい。
【符号の説明】
【００７３】
Ｓ  火災報知システム
１  火災受信機
１１  地区回路
１１１  制御部
１１２  通信部
１１３  記憶部
２  火災感知器
３  終端器
３１  制御部
３２  通信部
４  中継器
【図１】
2019133376.tif 000003
【図２】
2019133376.tif 000004
【図３】
2019133376.tif 000005
【図４】
2019133376.tif 000006
【図５】
2019133376.tif 000007
【図６】
2019133376.tif 000008
【図７】
2019133376.tif 000009